(57)【要約】【課題】水洗トイレの使用の度毎に、該水洗トイレのロータンク内に、該ロータンクとは別に設置された補助タンクに貯水された水道水を給水する。【解決手段】補助タンク１が、水洗トイレ２のロータンク３より上方位置に設けられた支持台４上に載置され、且つ水道本管に基端部を連結した送水管１０の先方部が、前記補助タンク１の上端近くの側壁１１を貫通して該補助タンク１内に開口して配設され、更に、前記送水管１０の先端部にボールタップ１２が設置されると共に、該ボールタップ１２の先方部にレバー１３を介してポリ玉１４が固定され、且つ前記ロータンク３は、前記補助タンク１の下端部分と通水管１５を介して連通される。【選択図】図１
2014109139.tif 000002
【特許請求の範囲】
【請求項１】
補助タンクが、水洗トイレのロータンクより上方位置に設けられた支持台上に載置され、且つ前記補助タンクは、上方に点検するための蓋板を被冠固定することができるように開口部を備えた有底の箱状に形成されると共に、水道本管に基端部を連結した送水管の先方部が、前記補助タンクの上端近くの側壁を貫通して該補助タンク内に開口して配設され、更に前記送水管の先端部にボールタップが設置されると共に、該ボールタップの先方部にレバーを介してポリ玉が固定され、且つ前記ロータンクは、前記補助タンクの下端部分と通水管を介して連通されていることを特徴とする水道水を使用する水洗トイレにおける補助タンク装置。
【請求項２】
補助タンクが、便所に近接する家屋の外壁に接するようにして地盤面上に立設され、且つ水洗トイレのロータンクより上方位置に設けられたた支持台上に載置されて形成され、且つ前記補助タンクは、上方に点検するための蓋板を被冠固定することができるように開口部を備えた有底の箱状に形成されると共に、水道本管に基端部を連結した送水管の先方部が、前記補助タンクの上端近くの側壁を貫通して該補助タンク内に開口して配設され、更に前記送水管の先端部にボールタップが設置されると共に、該ボールタップの先方部にレバーを介してポリ玉が固定され、且つ前記ロータンクは、前記補助タンクの下端部分と外壁を貫通した通水管を介して連通されていることを特徴とする水道水を使用する水洗トイレにおける補助タンク装置。
【発明の詳細な説明】
【技術分野】
【０００１】
本発明は、水道水を使用する水洗トイレにおいて、水洗トイレの使用の度毎に、該水洗トイレのロータンク内に該ロータンクとは別に設置された補助タンクに貯水された水道水を前記ロータンク内に給水することができ、例えば、断水時であっても、少なくとも１０回程度は使用できる水量として補助タンクに貯水された水道水を、前記ロータンクに給水できるようにした水道水を使用する水洗トイレにおける補助タンク装置に関するものである。
【背景技術】
【０００２】
従来、断水したときは、水洗トイレのロータンクに、使用済みの風呂水を注水して使用したり、あるいは非常用水としてポリタンクに貯水した水をロータンクに注水して使用していた。
【０００３】
また、断水時に予め予備タンクに貯水された水道水を使用するという技術的思想につき、過去の特許文献を遡及検索すると、下記の特許文献に、非常用水備蓄タンクが開示されている。
【先行技術文献】
【特許文献】
【０００４】
【特許文献１】特開２０００−３１９９５４号公報
【発明の概要】
【発明が解決しようとする課題】
【０００５】
前記従来の風呂水やポリタンクに貯水された水を使用する方法は極めて面倒であり、またロータンクに注水する際にこぼしてしまい床面が水びたしになる場合があるという課題があった。
【０００６】
更に、前記特許文献１に記載された備蓄タンクは、水洗トイレに使用される水道水を非常用水備蓄タンクを経由させることにより、水洗トイレを使用する毎に備蓄タンクからロータンクへ水道水が自動的に供給することができるようにしたものであるが、備蓄タンクはロータンクの上方位置に設置するのではなく、ほぼ同一高さ位置に設置されているために、備蓄タンクからロータンクへの注水が高低差を利用する自然注水ができないので、圧力計、逃し弁、逆止弁内臓減圧弁等の部材が必要となり、その結果コスト高になると共に、故障した場合の対応に手間取るという課題があった。
【０００７】
本発明は前記課題を解決すべくなされたものであって、補助タンクを水洗トイレのロータンクとは別に設置して、水洗トイレを使用する度毎に、補助タンクから高低差を利用して水道水を、前記使用量と同量の水道水をロータンクに補給することができるようにし、特に、断水時に、少なくとも１０回程度はトイレの使用ができるようにした水道水を使用する水洗トイレにおける補助タンク装置を提供しようとするものである。
【課題を解決するための手段】
【０００８】
本発明は、補助タンクが、水洗トイレのロータンクより上方位置に設けられた支持台上に載置され、且つ前記補助タンクは、上方に点検するための蓋板を被冠固定することができるように開口部を備えた有底の箱状に形成されると共に、水道本管に基端部を連結した送水管の先方部が、前記補助タンクの上端近くの側壁を貫通して該補助タンク内に開口して配設され、更に前記送水管の先端部にボールタップが設置されると共に、該ボールタップの先方部にレバーを介してポリ玉が固定され、且つ前記ロータンクは、前記補助タンクの下端部分と通水管を介して連通されるという手段、または、
補助タンクが、便所に近接する家屋の外壁に接するようにして地盤面上に立設され、且つ水洗トイレのロータンクより上方位置に設けられたた支持台上に載置されて形成され、且つ前記補助タンクは、上方に点検するための蓋板を被冠固定することができるように開口部を備えた有底の箱状に形成されると共に、水道本管に基端部を連結した送水管の先方部が、前記補助タンクの上端近くの側壁を貫通して該補助タンク内に開口して配設され、更に前記送水管の先端部にボールタップが設置されると共に、該ボールタップの先方部にレバーを介してポリ玉が固定され、且つ前記ロータンクは、前記補助タンクの下端部分と外壁を貫通した通水管を介して連通されるという手段、
のいずれかを採用することにより、上記課題を解決した。
【発明の効果】
【０００９】
上記構成より成る本発明によれば、補助タンクを水洗トイレのロータンクより上方位置において別に設置して、水洗トイレを使用する度毎に、補助タンクから高低差を利用して自然給水により、前記使用量と同量の水道水をロータンクに補給することができるようにし、特に、断水時に、少なくとも１０回程度のトイレの使用ができ、然も前記補助タンクからロータンクへの給水が高低差を利用した自然給水であるため、ほとんど故障することなく、安価に提供できるという優れた効果を奏することができる。
【図面の簡単な説明】
【００１０】
【図１】本発明に実施例１による水道水を使用する水洗トイレにおける補助タンク装置を示す断面図である。
【図２】本発明に実施例２による水道水を使用する水洗トイレにおける補助タンク装置を示す断面図である。
【実施例１】
【００１１】
本発明の実施例１による水道水を使用する水洗トイレにおける補助タンク装置は、室内（便所内）に設置するものであり、図１に示すように、補助タンク１が、従来使用されている水洗トイレ２のロータンク３の上方に設けられた支持台４上に載置されて形成されている。前記支持台４は、４本の脚柱５が前記ロータンク３から間隔を有して床面６上に立設されると共に、該４本の脚注５上に、前記補助タンク１を載置する載置板７を固定して形成されている。
【００１２】
前記支持台４の載置板７上に載置される補助タンク１は、軽量で、且つ強度性を有する素材により、上方に点検するための蓋板８を被冠固定することができるように開口部９を備えた有底の箱状に形成される。前記補助タンク１の素材は、特に限定する必要はないが、合成樹脂で製作することが推奨され、塩化ビニル樹脂で製作することが特に好ましい。
【００１３】
前記補助タンク１の形状は、円形または多角形のいずれでもよく、またその容量は、特に限定する必要はないが、好ましくは、７０リットル程度の水道水を貯水できる大きさとすることが推奨される。更に、取付け現場の高さに合わせて高さに設定し、上方に蓋板８を着脱自在に取付けて、有底の箱状（図１においては、方形箱状）に形成され、水道本管（図示せず）に基端部を連結した送水管１０の先方部が、前記補助タンク１の上端近くの側壁１１を貫通して該補助タンク１内に開口して配設されると共に、該送水管１０の先端部にボールタップ１２が設置され、更に該ボールタップ１２の先方部にレバー１３を介してポリ玉１４が固定されている。前記ボールタップ１２、レバー１３およびポリ玉１４は、従来のロータンクに使用されているものと同一構成のものを使用することができる。
【００１４】
また、前記ロータンク３は、前記補助タンク１の下端部分と通水管１５を介して連通されており、前記ロータンク３内に貫通した通水管１５の先端には、普通一般のロータンクと同様、ボールタップ１６、ポリ玉１７が設置されると共に、該ロータンク３内にゴムフロート１８、サイフォン１９が備えられ、更に前記ゴムフロート１８を操作するロータンクレバー２０がそれぞれ設置されて形成されている。なお、図中、２１・２２は送水管１０および通水管１５の管路に設置された水圧調整バルブである。
【００１５】
前記構成より成る実施例１による本発明水道水を使用する水洗トイレにおける非常用補助タンク装置の作用について説明する。本発明装置におけるロータンク３は従来のロータンクと異なり、水道本管（図示せず）とは連結されておらず、補助タンク１と連結されており、前記ロータンク３は該補助タンク１から水道水が供給される。従って、本発明装置は、先ず水道本管から送水管９を経て補助タンク１内に通水される。前記補助タンク１内の水位が下がると、従来一般のロータンクのポリ玉と同様に、前記ポリ玉１４が徐々に下降してボールタップ１２の弁が開いた状態となって、前記送水管１０よりの給水が継続する。そして、補助タンク１内の水位が上がると、前記ポリ玉１４は徐々に上昇して、所定の水位に達すると、前記ボールタップ１２の弁が閉じて前記送水管１０よりの給水が停止し、該補助タンク１内は満水の状態となる。
【００１６】
一方、ロータンク３内の水位がトイレ使用により下がると、ポリ玉１７も降下して、ボールタップ１６の弁が開いた状態となる。そして、この時、前記補助タンク１内に貯水された水道水が、前記ロータンク３との高低差を利用して、通水管１５を介して該ロータンク３内に自然給水され、徐々にポリ玉１７が上昇し、該流入した水道水が所定の水位に達したときに、前記ボールタップ１６の弁が閉じて前記ロータンク３への給水が停止する。
【００１７】
前記ロータンク３内への補助タンク１からの水道水が給水されると、該補助タンク１内の水位が下がる。そして、前記補助タンク１の水位が下がり、ポリ玉１４が下降してボールタップ１２の弁が開いて、水道水が送水管１０を介して補助タンク１内に給水されて行き、水位が徐々に上がり前記ポリ玉１４も上昇し、所定の水位高さまで達すると、前記ボールタップ１２の弁が閉じ給水が停止される。
【００１８】
前記のように、本発明装置によれば、ロータンク３で使用された水量分だけ補助タンク１から水道水が給水されると共に、前記補助タンク１内にはロータンク１に給水した量の水道水が補充されるので、該補助タンク１は常に満水の状態に維持されている。断水時においては、少なくとも補助タンク１に貯水されている量の水道水はロータンク３へ給水できるので、前記補助タンク１の容量が７０リットル程度であれば、１０回程度トイレの使用が可能となる。
【実施例２】
【００１９】
本発明の実施例２による水道水を使用する水洗トイレにおける補助タンク装置は、実施例１の補助タンク装置が室内（便所内）に設置するものであるのに対し、便所に近接した屋外に設置するものである。すなわち、図２に示すように、補助タンク３１が、便所に近接する家屋の外壁３２に接するようにして地盤面３３上に立設された支持台３４上に載置されて形成されている。前記支持台３４は、４本の脚柱３５が地盤面３３上に立設されると共に、該４本の脚注３５上に、前記補助タンク３１を載置する載置板３６を固定して形成されており、更に、前記載置板３６上に載置される補助タンク３１は、ロータンク３に高低差を利用して自然給水できるように、該ロータンク３より上方に設置され、且つ前記補助タンク３１とロータンク３とは外壁３２を貫通して設けられた送水管１０によって連結されている。なお、その他の補助タンク３１およびロータンク３の構成、作用および効果は、前記実施例１のそれと同一であるので、実施例１と同一符号を用いると共に、詳細な説明を省略する。
【符号の説明】
【００２０】
１  補助タンク
２  水洗トイレ
３  ロータンク
４  支持台
５  脚柱
６  床面
７  載置板
８  蓋板
９  開口部
１０  送水管
１１  側壁
１２  ボールタップ
１３  レバー
１４  ポリ玉
１５  通水管
１６  ボールタップ
１７  ポリ玉
１８  ゴムフロート
１９  サイフォン
２０  ロータンクレバー
２１・２２  水圧調整バルブ
３１  補助タンク
３２  外壁
３３  地盤面
３４  支持台
３５  脚柱
３６  載置板
【図１】
2014109139.tif 000003
【図２】
2014109139.tif 000004